(57)【要約】【課題】複数の変圧器がそれぞれ個別の負荷に給電する場合と、変圧器２次が接続され並列接続された変圧器が負荷に給電する場合で、変圧器２次の地絡検出回路を同一として回路の変更を必要としない。【解決手段】変圧器の台数プラス１台の零相変流器及び地絡過電流継電器で構成する回路により、複数の変圧器がそれぞれ個別の負荷に給電する場合と、変圧器２次が接続され並列接続され変圧器が同じ負荷に給電する場合で、変圧器２次の地絡保護回路を同一の回路とし、さらに地絡過電流継電器と並列にスイッチを接続することで、地絡過電流を検出する地絡過電流継電器を切換える。【選択図】図１
2006320058.tif 000002
【特許請求の範囲】
【請求項１】
三相交流電源が複数台の変圧器を介し、連絡遮断器及び負荷へ接続されている回路において、各変圧器の中性点をそれぞれ地絡過電流継電器に接続された零相変流器を介して接続し、その接続点より地絡過電流継電器に接続された零相変流器を介して接地点へ接続することを特徴とする変圧器２次の地絡保護回路。
【請求項２】
請求項１の地絡過電流継電器に並列にスイッチを接続することを特徴とする変圧器２次の地絡保護回路。
【発明の詳細な説明】
【技術分野】
【０００１】
本発明は、同一電源より給電される複数台の変圧器がそれぞれ個別の負荷に給電する場合と、変圧器の２次側が接続され並列接続された変圧器で負荷に給電する場合とで、回路を変更することなく地絡電流の検出が行える変圧器２次の地絡保護回路に関するものである。
【背景技術】
【０００２】
一般に変圧器２次の地絡保護回路は、変圧器２次の中性点に地絡過電流継電器が接続された零相変流器を介し接地点に接続された接地線の一端を接続し、地絡事故発生時には、この接地線に流れる地絡電流を零相変流器で変換して、地絡過電流継電器で検出するものである。
【０００３】
同一電源に接続されている複数台の変圧器が、それぞれ個別の負荷に給電する場合は、各変圧器の中性点に、地絡過電流継電器が接続された零相変流器を介し接地点に接続された接地線の一端をそれぞれ接続した地絡保護回路とすることにより、地絡事故が発生した場合は、その事故が発生した負荷に給電する変圧器２次の中性点に接地点より接地線を通して地絡電流が流れ、この電流を零相変流器を介し接続された地絡過電流継電器が検出するため、事故の発生した回路を選択遮断することが出来る。
【０００４】
しかしながら、上述の地絡保護回路で変圧器２次側を連絡遮断器により接続して変圧器を並列接続し、負荷へ複数の変圧器より給電すると、接地点を介し各変圧器の中性点間に循環する電流が流れ、この電流が各零相変流器に流れることで地絡過電流継電器が誤動作する問題があった。
なお、変圧器を並列接続し、該変圧器２次の中性点を接続すると、接続された中性点間に循環する電流が流れることについては、周知されているので説明は省略する。
【０００５】
この改善策として、各変圧器の中性点を接続し、その接続線の１点から分岐する線に地絡過電流継電器が接続された零相変流器を介し接地点に接続された接地線の一端を接続する地絡保護回路とすれば、各変圧器の中性点間に循環する電流は、地絡過電流継電器が接続された零相変流器に流れ無いため、地絡過電流継電器が誤動作は生じる事は無く、接地線に挿入された零相変流器に接続される地絡過電流継電器は、地絡事故による地絡電流のみを検出することができる。
【０００６】
ところが、この地絡電離保護回路において変圧器２次側の連絡遮断器を開放し複数台の変圧器がそれぞれ個別の負荷に給電する場合においては、変圧器ごとに地絡電流を検出する地絡過電流継電器が無いため、地絡事故が発生した負荷回路を判別し選択遮断することが出来ない不具合があった。
【０００７】
【非特許文献１】自家用発設備の保護継電システム(電機書院)  7.8第3高調波の問題        JIS C8374-1991 解説  (3)回り回路(循環電流)によるもの
【発明の開示】
【発明が解決しようとする課題】
【０００８】
解決しようとする問題点は、複数の変圧器がそれぞれ個別の負荷に給電する場合と、変圧器２次が接続され並列接続された変圧器が負荷へ給電する場合とで、変圧器２次の地絡保護回路を変更する必要がある点である。
【課題を解決するための手段】
【０００９】
本発明は、複数の変圧器がそれぞれ個別の負荷に給電する場合と、変圧器２次が接続され並列接続された変圧器が同じ負荷へ給電する場合とで、変圧器２次の地絡検出回路を同一とし、その地絡電流を検出する地絡過電流継電器を切換えることで地絡保護回路を変更したことと同等の能力を有することを特徴とする。
【発明の効果】
【００１０】
本発明の変圧器２次の地絡保護回路は、複数の変圧器がそれぞれ個別の負荷に給電する場合と、変圧器２次が接続され並列接続された変圧器が負荷へ給電される場合とで、変圧器２次の地絡保護回路は同一であるため、負荷への給電を停止し変圧器２次の地絡保護回路を変更する屯難な作業が必要なく、連続して給電を続けられる利点がある。
【発明を実施するための最良の形態】
【００１１】
請求項１  変圧器の台数プラス１台の零相変流器及び地絡過電流継電器で構成する回路により、複数の変圧器がそれぞれ個別の負荷に給電する場合と、変圧器２次が接続され並列に接続された変圧器が負荷へ給電する場合で、変圧器２次の地絡保護回路を同一の回路とすることを実現にした。
【００１２】
請求項２  地絡過電流継電器と並列にスイッチを接続し、このスイッチを投入することにより零相変流器の出力信号が地絡過電流継電器に流さないように、開放することで零相変流器の出力信号が地絡過電流継電器に流れるようにでき、地絡過電流を検出する地絡過電流継電器を切換える事を実現にした。
【実施例１】
【００１３】
図１は、本発明装置の１実施例を示す説明図であって、三相交流電源１が、変圧器２及び３を介し連絡遮断器１６の両端及び負荷１４，１５接続される構成となっており、その変圧器２次の地絡保護回路１７は、変圧器２及び３の２次側中性点を、地絡過電流継電器６及び９に接続された零相変流器４及び７を介して接続し、さらに該零相変流器４、７の中間点から分岐し地絡過電流継電器１２接続された零相変流器１０を介し、接地点１３に接続されている。
【００１４】
請求項１  かような回路において、連絡遮断器１６が開放され変圧器２，３が、それぞれ個別の負荷１４，１５へ給電する場合には、地絡過電流継電器６及び９により地絡電流を検出し、連絡遮断器１６が投入されることで変圧器２，３の２次側が接続され並列接続された変圧器２，３が負荷１４，１５に給電する場合には、地絡過電流継電器１２により地絡電流を検出することで、変圧器２次の地絡保護回路１７を同一にする事が出来る。
【００１５】
請求項２  上述の変圧器２次の地絡検出回路１７において、地絡過電流継電器６、９及び１２に並列にそれぞれスイッチ５，８及び１１を接続する。連絡遮断器１６が開放され変圧器２，３が、それぞれ個別の負荷１４，１５へ給電する場合には、スイッチ５及び８を開放、１１を投入することで地絡過電流継電器６，９は、地絡電流を検出するが、地絡過電流継電器１２は、地絡電流を検出しない。一方、連絡遮断器１６が投入されることで変圧器２，３の２次側が接続され並列接続された変圧器２，３が負荷１４，１５に給電する場合には、スイッチ１１を開放、５及び８を投入することで地絡過電流継電器１２は、地絡電流を検出するが、地絡過電流継電器６，９は、変圧器２次の中性点間を循環する電流を検出しないこととなり、地絡電流を検出する地絡過電流継電器を容易に切換えることが出来る。
【産業上の利用可能性】
【００１６】
負荷への給電方式の変更により、複数台の地絡過電流継電器のうち地絡電流を検出するものを変更する場合などに適用することが出来る。
【図面の簡単な説明】
【００１７】
【図１】本発明装置の１実施例を示す説明図である。
【符号の説明】
【００１８】
１    三相交流電源
２    変圧器
３    変圧器
４    零相変流器
５    スイッチ
６    地絡過電流継電器
７    零相変流器
８    スイッチ
９    地絡過電流継電器
１０  零相変流器
１１  スイッチ
１２  地絡過電流継電器
１３  接地点
１４  負荷
１５  負荷
１６  連絡遮断器
１７  変圧器２次の地絡保護回路
【図１】
2006320058.tif 000003